(57)【特許請求の範囲】
【請求項１】
マルチタッチが可能なタッチパネルが表示面に配置された表示部を備える情報閲覧装置において、
前記タッチパネルから出力される信号に基づいて、前記表示部の表示を制御する制御部を備え、
前記制御部は、前記表示部にドキュメントを表示させた状態で、第１のタッチ手段による所定のドラッグ操作を検出したら、前記所定のドラッグ操作の停止位置における前記第１のタッチ手段のタッチ状態が維持されている間、前記ドキュメント上に、第２のタッチ手段による入力操作を可能にする画面を表示させ、
前記所定のドラッグ操作の停止位置における前記第１のタッチ手段のタッチ状態が解除されたら、前記画面を前記ドキュメント上から待避させる、ことを特徴とする情報閲覧装置。
【請求項２】
前記制御部は、前記ドキュメントの表示領域の周囲に指示領域を表示させ、前記指示領域を起点とするドラッグ操作を検出したら、前記ドキュメント上に前記画面を表示させる、ことを特徴とする請求項１に記載の情報閲覧装置。
【請求項３】
前記制御部は、前記ドキュメントのページをめくる操作とは異なる形態のドラッグ操作を検出したら、前記ドキュメント上に前記画面を表示させる、ことを特徴とする請求項１に記載の情報閲覧装置。
【請求項４】
前記制御部は、前記ドラッグ操作の停止位置を基準として、前記ドラッグ操作の開始位置側に前記画面を表示させる、ことを特徴とする請求項１乃至３のいずれか一に記載の情報閲覧装置。
【請求項５】
前記制御部は、予め記憶したユーザ情報に基づいて、前記所定のドラッグ操作を行うユーザの利き手を特定し、前記ドラッグ操作の停止位置を基準として、前記ユーザの利き手側に前記画面を表示させる、ことを特徴とする請求項１乃至３のいずれか一に記載の情報閲覧装置。
【請求項６】
前記制御部は、前記画面を前記ドキュメント上から待避させる際に、記憶部に、前記画面に入力された情報若しくは前記画面を操作することによって設定された情報を保存する、ことを特徴とする請求項１乃至５のいずれか一に記載の情報閲覧装置。
【請求項７】
前記制御部は、前記画面を前記ドキュメント上から待避させた後、保存された前記情報を表示させるためのアイコンを表示させる、ことを特徴とする請求項６に記載の情報閲覧装置。
【請求項８】
マルチタッチが可能なタッチパネルが表示面に配置された表示部を備え、前記タッチパネルから出力される信号に基づいて、前記表示部の表示が制御される装置で動作する制御プログラムであって、
前記装置を、
前記表示部にドキュメントを表示させた状態で、第１のタッチ手段による所定のドラッグ操作を検出したら、前記所定のドラッグ操作の停止位置における前記第１のタッチ手段のタッチ状態が維持されている間、前記ドキュメント上に、第２のタッチ手段による入力操作を可能にする画面を表示させ、
前記所定のドラッグ操作の停止位置における前記第１のタッチ手段のタッチ状態が解除されたら、前記画面を前記ドキュメント上から待避させる制御部として機能させる、ことを特徴とする制御プログラム。
【請求項９】
前記制御部は、前記ドキュメントの表示領域の周囲に指示領域を表示させ、前記指示領域を起点とするドラッグ操作を検出したら、前記ドキュメント上に前記画面を表示させる、ことを特徴とする請求項８に記載の制御プログラム。
【請求項１０】
前記制御部は、前記ドキュメントのページをめくる操作とは異なる形態のドラッグ操作を検出したら、前記ドキュメント上に前記画面を表示させる、ことを特徴とする請求項８に記載の制御プログラム。
【請求項１１】
前記制御部は、前記ドラッグ操作の停止位置を基準として、前記ドラッグ操作の開始位置側に前記画面を表示させる、ことを特徴とする請求項８乃至１０のいずれか一に記載の制御プログラム。
【請求項１２】
前記制御部は、予め記憶したユーザ情報に基づいて、前記所定のドラッグ操作を行うユーザの利き手を特定し、前記ドラッグ操作の停止位置を基準として、前記ユーザの利き手側に前記画面を表示させる、ことを特徴とする請求項８乃至１０のいずれか一に記載の制御プログラム。
【請求項１３】
前記制御部は、前記画面を前記ドキュメント上から待避させる際に、記憶部に、前記画面に入力された情報若しくは前記画面を操作することによって設定された情報を保存する、ことを特徴とする請求項８乃至１２のいずれか一に記載の制御プログラム。
【請求項１４】
前記制御部は、前記画面を前記ドキュメント上から待避させた後、保存された前記情報を表示させるためのアイコンを表示させる、ことを特徴とする請求項１３に記載の制御プログラム。
【請求項１５】
マルチタッチが可能なタッチパネルが表示面に配置された表示部を備え、前記タッチパネルから出力される信号に基づいて、前記表示部の表示を制御する情報閲覧装置の制御方法であって、
前記表示部にドキュメントを表示する第１ステップと、
第１のタッチ手段による所定のドラッグ操作を検出したら、前記所定のドラッグ操作の停止位置における前記第１のタッチ手段のタッチ状態が維持されている間、前記ドキュメント上に、第２のタッチ手段による入力操作を可能にする画面を表示する第２ステップと、
前記所定のドラッグ操作の停止位置における前記第１のタッチ手段のタッチ状態が解除されたら、前記画面を前記ドキュメント上から待避させる第３ステップと、を実行することを特徴とする制御方法。
【請求項１６】
前記第１ステップでは、前記ドキュメントの表示領域の周囲に指示領域を表示させ、
前記第２ステップでは、前記指示領域を起点とするドラッグ操作を検出したら、前記ドキュメント上に前記画面を表示する、ことを特徴とする請求項１５に記載の制御方法。
【請求項１７】
前記第２ステップでは、前記ドキュメントのページをめくる操作とは異なる形態のドラッグ操作を検出したら、前記ドキュメント上に前記画面を表示する、ことを特徴とする請求項１５に記載の制御方法。
【請求項１８】
前記第２ステップでは、前記ドラッグ操作の停止位置を基準として、前記ドラッグ操作の開始位置側に前記画面を表示する、ことを特徴とする請求項１５乃至１７のいずれか一に記載の制御方法。
【請求項１９】
前記第２ステップの前に、予め記憶したユーザ情報に基づいて、前記所定のドラッグ操作を行うユーザの利き手を特定し、
前記第２ステップでは、前記ドラッグ操作の停止位置を基準として、前記ユーザの利き手側に前記画面を表示する、ことを特徴とする請求項１５乃至１７のいずれか一に記載の制御方法。
【請求項２０】
前記第３ステップでは、前記画面を前記ドキュメント上から待避させる際に、前記画面に入力された情報若しくは前記画面を操作することによって設定された情報を保存する、ことを特徴とする請求項１５乃至１９のいずれか一に記載の制御方法。
【請求項２１】
前記第３ステップでは、前記画面を前記ドキュメント上から待避させた後、保存された前記情報を表示させるためのアイコンを表示する、ことを特徴とする請求項２０に記載の制御方法。
【発明の詳細な説明】
【技術分野】
【０００１】
本発明は、情報閲覧装置及び制御プログラム並びに制御方法に関し、特に、タッチパネルが表示面に配置された表示部を備える情報閲覧装置及び当該情報閲覧装置で動作する制御プログラム並びにタッチパネルを用いた入力操作を制御する制御方法に関する。
【背景技術】
【０００２】
近年、タブレット端末や電子ペーパー、電子ブック等の表示部を備えた装置を用いて資料や書籍などのドキュメントを閲覧するユーザが増えている。このような装置（以下、情報閲覧装置と呼ぶ。）には、表示部にタッチパネルが設けられており、タッチパネルを用いて各種操作ができるようになっている。例えば、情報閲覧装置では、アノテート機能に対する要求が大きいことから、タッチパネルを操作してメモ入力を行うことができる。
【０００３】
上記タッチパネルに関して、例えば、下記特許文献１には、柔軟性のあるペーパーディスプレイの画面上に第１のタッチパネルを配置するとともに、前記ペーパーディスプレイの下部に第２のタッチパネルを配置したタッチパネル付きディスプレイ装置に関して、指示体が前記ペーパーディスプレイ画面の所定の位置を指示したときの前記第１のタッチパネルでの該指示体のタッチ位置を検出する第１の位置検出手段と、該指示体が該ディスプレイ画面の該所定の位置を指示したときの該第２のタッチパネルでの該指示体のタッチ位置を検出する第２の位置検出手段と、該第１の位置検出手段の検出結果に応じて第１の処理を行ない、該第１の位置検出手段が検出した該第１のタッチパネルでの指示体のタッチ位置に応じて該ディスプレイ画面での表示状態を第１の表示状態に設定し、該第２の位置検出手段の検出結果に応じて第２の処理を行ない、該第２の位置検出手段が検出した該第２のタッチパネルでの指示体のタッチ位置に応じて該ディスプレイ画面での表示状態を第２の表示状態に設定する制御手段と、を備えた構成が開示されている。
【０００４】
また、タッチパネルを用いたメモ入力に関して、例えば、下記特許文献２には、複数のタッチ位置を検出するタッチパネル装置を設けた表示モニタと、前記表示モニタにおける表示画面上の複数のタッチ位置を入力する入力手段と、前記入力手段によって入力された複数のタッチ位置に基づいて各種の操作を実行する実行手段と、前記表示モニタに表示されたメモ入力画面からメモを入力するメモ入力手段と、前記メモ入力手段によって入力されたメモを施設に関連付けて記憶するメモ記憶手段と、前記表示モニタに表示された施設を選択する施設選択手段と、前記施設選択手段によって前記施設が選択されると、前記施設に関連付けられて記憶されているメモを表示するメモ表示手段とを備え、前記実行手段は、地図を表示した表示画面上に２点のタッチ位置が検出され、一方の点のタッチ位置は施設の表示位置であり、他方の点のタッチ位置が、前記表示画面の下方向に移動した場合は、前記一方の点のタッチ位置に表示された施設に関連付けて記憶するメモを入力するメモ入力画面を表示するナビゲーション装置が開示されている。
【先行技術文献】
【特許文献】
【０００５】
【特許文献１】特開２００３−２８０８１２号公報
【特許文献２】特開２００７−２７９６３８号公報
【発明の概要】
【発明が解決しようとする課題】
【０００６】
このようなタッチパネル、特に、マルチタッチが可能なタッチパネルを用いてドキュメント上にメモを入力する際には、一連の簡便な操作で、メモ画面の表示、メモ画面へのメモの入力、メモ画面に入力した情報の保存などができるようにすることが望まれる。
【０００７】
しかしながら、従来の方法では、簡便な操作で、入力しやすいメモ画面を表示させたり待避させたりすることができず、また、簡便な操作で、メモ画面に入力した情報を保存することができない。そのため、ユーザの作業の流れを妨げてしまい、操作性が悪いという問題があった。また、このような問題は、各種機能を設定する画面を表示させる場合においても同様に生じていた。
【０００８】
本発明は、上記問題点に鑑みてなされたものであって、その主たる目的は、マルチタッチが可能なタッチパネルを用いて、一連の簡便な操作で、情報の入力や機能の設定を行うことができる情報閲覧装置及び制御プログラム並びに制御方法を提供することにある。
【課題を解決するための手段】
【０００９】
上記目的を達成するため、本発明は、マルチタッチが可能なタッチパネルが表示面に配置された表示部を備える情報閲覧装置において、前記タッチパネルから出力される信号に基づいて、前記表示部の表示を制御する制御部を備え、前記制御部は、前記表示部にドキュメントを表示させた状態で、第１のタッチ手段による所定のドラッグ操作を検出したら、前記所定のドラッグ操作の停止位置における前記第１のタッチ手段のタッチ状態が維持されている間、前記ドキュメント上に、第２のタッチ手段による入力操作を可能にする画面を表示させ、前記所定のドラッグ操作の停止位置における前記第１のタッチ手段のタッチ状態が解除されたら、前記画面を前記ドキュメント上から待避させるものである。
【００１０】
また、本発明は、マルチタッチが可能なタッチパネルが表示面に配置された表示部を備え、前記タッチパネルから出力される信号に基づいて、前記表示部の表示が制御される装置で動作する制御プログラムであって、前記装置を、前記表示部にドキュメントを表示させた状態で、第１のタッチ手段による所定のドラッグ操作を検出したら、前記所定のドラッグ操作の停止位置における前記第１のタッチ手段のタッチ状態が維持されている間、前記ドキュメント上に、第２のタッチ手段による入力操作を可能にする画面を表示させ、前記所定のドラッグ操作の停止位置における前記第１のタッチ手段のタッチ状態が解除されたら、前記画面を前記ドキュメント上から待避させる制御部として機能させるものである。
【００１１】
また、本発明は、マルチタッチが可能なタッチパネルが表示面に配置された表示部を備え、前記タッチパネルから出力される信号に基づいて、前記表示部の表示を制御する情報閲覧装置の制御方法であって、前記表示部にドキュメントを表示する第１ステップと、第１のタッチ手段による所定のドラッグ操作を検出したら、前記所定のドラッグ操作の停止位置における前記第１のタッチ手段のタッチ状態が維持されている間、前記ドキュメント上に、第２のタッチ手段による入力操作を可能にする画面を表示する第２ステップと、前記所定のドラッグ操作の停止位置における前記第１のタッチ手段のタッチ状態が解除されたら、前記画面を前記ドキュメント上から待避させる第３ステップと、を実行するものである。
【発明の効果】
【００１２】
本発明の情報閲覧装置及び制御プログラム並びに制御方法によれば、マルチタッチが可能なタッチパネルを用いて、一連の簡便な操作で、情報の入力や機能の設定を行うことができる。
【００１３】
その理由は、情報閲覧装置（制御プログラム）は、ドキュメントが表示された状態で、タッチパネル上の所定のドラッグ操作（ドキュメントの表示領域の周囲に設けた指示領域を起点とするドラッグ操作や、ドキュメントのページをめくるドラッグ操作とは異なる形態のドラッグ操作）を検出したら、タッチパネルへの接触状態が維持されている間、ドキュメント上に入力操作を可能にする画面を表示させ、タッチパネルへの接触状態が解除されたら、画面をドキュメント外に待避させるからである。また、画面を表示する際に、ドラッグ操作の開始位置や予め入力されたユーザの利き手情報に基づいて、ドラッグ操作の停止位置に対する画面の表示位置を決定したり、画面をドキュメント外に待避させる際に、画面に入力された情報や画面で設定した情報を保存したり、保存した情報を表示するためのアイコンを表示したりするからである。
【図面の簡単な説明】
【００１４】
【図１】本発明の第１の実施例に係る情報閲覧装置の外観を模式的に示す斜視図である。
【図２】本発明の第１の実施例に係る情報閲覧装置の構成を示すブロック図である。
【図３】本発明の第１の実施例に係るメモ欄に対する入力動作の一例を示す図である。
【図４】本発明の第１の実施例に係る機能操作パネルに対する入力動作の一例を示す図である。
【図５】本発明の第１の実施例に係るメモ欄のドラッグ開始位置に基づく表示例を示す図である。
【図６】本発明の第１の実施例に係るメモ欄の利き手に基づく表示例を示す図である。
【図７】本発明の第１の実施例に係る情報閲覧装置の全体処理を示すフローチャート図である。
【図８】本発明の第１の実施例に係る情報閲覧装置におけるメモ欄の表示処理（ドラッグ開始位置に基づく表示の場合）を示すフローチャート図である。
【図９】本発明の第１の実施例に係る情報閲覧装置におけるメモ欄の表示処理（利き手に基づく表示の場合）を示すフローチャート図である。
【図１０】ドキュメントのページめくり動作を示す図である。
【図１１】本発明の第２の実施例に係るメモ欄の表示動作を示す図である。
【図１２】本発明の第２の実施例に係るメモ欄の表示動作を示す図である。
【発明を実施するための形態】
【００１５】
背景技術で示したように、表示部にタッチパネル（特に、マルチタッチが可能なタッチパネル）を備えたタブレット端末や電子ペーパー、電子ブック等の情報閲覧装置が普及しており、資料や書籍などのドキュメントを閲覧する用途などで使用されている。この情報閲覧装置では、タッチパネルを操作してドキュメント上にメモ画面を表示させることができるが、従来の方法では、メモ画面を表示させたり、メモ画面にメモを入力したり、入力したメモを保存したりするためには複雑な操作が必要であり、操作性が悪いという問題があった。
【００１６】
また、機能設定画面で各種設定を行う場合もあるが、従来の方法では、機能設定画面を表示させたり、機能設定画面を操作したり、入力した設定情報を保存したりするためには、やはり複雑な操作が必要であり、操作性が悪いという問題があった。
【００１７】
そこで、本発明の一実施の形態では、情報の入力や機能の設定を、一連の簡便な操作で実現できるようにする。
【００１８】
具体的には、マルチタッチが可能なタッチパネルを備えた情報閲覧装置において、第１の手又は指によるドラッグにより、ドキュメント上にメモ欄や機能操作パネルなどの入力／操作画面を表示させ、第１の手又は指のドラッグ後のタッチ状態の維持により、入力／操作画面の表示状態を維持し、入力／操作画面が表示されている状態で、第２の手又は指により、メモの記入や設定操作を可能とし、第１の手又は指のタッチ状態の解除により、入力／操作画面をドキュメント外に退避させる。
【００１９】
また、入力／操作画面の表示位置を、第１の手又は指によりドラッグが開始された位置とドラッグが停止した位置とに基づいて決定したり、ユーザの利き手とドラッグが停止した位置とに基づいて決定したりする。また、第１の手又は指のタッチ状態の解除により、入力／操作画面をドキュメント外に退避させる際に、入力した情報や設定した情報を保存したり、保存した情報を表示するためのアイコンを表示したりする。
【００２０】
これらの制御により、メモ欄や機能操作パネルなどの入力／操作画面の表示から入力した情報や設定した情報の保存までの一連の処理を簡便な操作で実現することができ、また、入力／操作画面を第２の手又は指で操作しやすい位置に表示することができ、ユーザの利便性を格段に向上させることができる。
【実施例１】
【００２１】
上記した本発明の一実施の形態についてさらに詳細に説明すべく、本発明の第１の実施例に係る情報閲覧装置及び制御プログラム並びに制御方法について、図１乃至図９を参照して説明する。図１は、本実施例の情報閲覧装置の外観を模式的に示す斜視図であり、図２は、情報閲覧装置の構成を示すブロック図である。また、図３は、本実施例のメモ欄に対する入力動作の一例を示す図であり、図４は、本実施例の機能操作パネルに対する入力動作の一例を示す図である。また、図５及び図６は、本実施例のメモ欄の表示例を示す図であり、図７乃至図９は、本実施例の情報閲覧装置を用いた操作制御動作を示すフローチャート図である。
【００２２】
なお、本明細書におけるドラッグ操作とは、指などをタッチパネルにタッチさせた状態で略一定の方向に移動させる操作を言う。
【００２３】
図１に示すように、本実施例の情報閲覧装置１００は、ノート型のコンピュータ装置やタブレット端末、電子ペーパー、電子ブック等の表示機能を備えた装置である。この情報閲覧装置１００は、図２に示すように、ＣＰＵ（Central Processing Unit）１０１、メモリ１０２、表示部１０３、表示コントローラ１０４、操作部１０５、通信部１０６、電池１０７、コマンド入力処理部１０８、手書き入力処理部１０９、ＩＤ検出部１１０などで構成される。
【００２４】
ＣＰＵ１０１は、メモリ１０２から読み出した制御プログラムを実行し、各部の動作を制御する制御部として機能する。本実施例では、特に、操作部１０５（タッチパネル）から出力される信号に基づいて、ユーザの指などがタッチパネルに接触している位置を特定し、接触位置やその接触位置の変化に基づいて各種制御を行う。例えば、始めに接触させる指など（第１のタッチ手段と呼ぶ。）の接触位置の変化や接触状態に基づいて、メモなどを入力する画面（メモ欄と呼ぶ。）や各種機能を設定する画面（機能操作パネルと呼ぶ。）などをドキュメント上に表示させたり、ドキュメント上から待避させたりする。また、次に接触させる指など（第２のタッチ手段と呼ぶ。）によるメモ欄への入力、機能操作パネルの設定操作を許可し、メモ欄に入力した情報や機能操作パネルで設定した情報をメモリ１０２に保存したり、保存した情報を表示するためのアイコンを表示させたりする。
【００２５】
メモリ１０２は、ＲＯＭ（Read Only Memory）やＲＡＭ（Random Access Memory）などで構成され、ＣＰＵ１０１で動作する各種プログラム、情報閲覧装置１００の動作を制御するための設定情報、各種データ（例えば、メモ欄に手書きされた文字などを認識するためのパターンデータやユーザの利き手を特定するためのユーザ情報、ドキュメントのデータ）などを記憶する。
【００２６】
表示部１０３は、電子ペーパー（ＥＰＤ：Electrophoretic Display）や液晶表示装置（ＬＣＤ：Liquid Crystal Display）、有機ＥＬ（electroluminescence）表示装置等からなり、ドキュメントを表示したり、ドキュメントの周囲に後述する引き出しエリアを表示したり、ドキュメント上にメモ欄や機能操作パネルなどの画面を表示したり、一旦保存されたメモ欄に入力した情報や機能操作パネルで設定した情報を表示させるためのアイコンを表示したりする。なお、電子ペーパーは、一対の透明なフィルム基板の内表面に透明導電性の電極が形成され、電極間に導電性を有する黒色トナーと電気絶縁性を有する白色トナーが封入され、電極間に電圧を印加すると黒色トナーが移動して白色トナーと入れ替わって色が変化する構造を利用した表示デバイスである。
【００２７】
表示コントローラ１０４は、表示部１０３を駆動し、ＣＰＵ１０１の指示に従って、表示部１０３の表示を制御する。
【００２８】
操作部１０５は、電源ボタンなどのハードウェアキーと、表示部１０３上に、透明電極が格子状に配置された感圧式若しくは静電式のタッチパネルなどであり、タッチパネルは、指などで押下又は接触した部分に配置された透明電極から出力される信号をＣＰＵ１０１に送る。なお、本実施例のタッチパネルは、いわゆるマルチタッチが可能であり、複数の指などで押下又は接触した複数の透明電極からの信号を処理することができるようになっている。
【００２９】
通信部１０６は、ＮＩＣ（Network Interface Card）やモデムなどであり、有線通信や無線通信によりネットワークに接続されたコンピュータ装置やサーバと交信し、ドキュメントのデータなどを受信する。
【００３０】
電池１０７は、情報閲覧装置１００の各部を駆動するための電源を供給する二次電池などである。
【００３１】
コマンド入力処理部１０８は、タッチパネルで指示されたコマンドを判断し、ＣＰＵ１０１に通知する。
【００３２】
手書き入力処理部１０９は、タッチパネルの出力に基づいて手書きの軌跡を特定し、その軌跡を予めメモリ１０３に記憶したパターンデータと照合することにより、手書きされた文字を認識し、ＣＰＵ１０１に通知する。
【００３３】
ＩＤ検出部１１０は、情報閲覧装置１００を操作するユーザを識別し、そのユーザの利き手を特定する。利き手の特定方法は特に限定されないが、例えば、情報閲覧装置１００の起動時に、ユーザのＩＤなどの文字情報が入力、若しくは、ユーザの生体情報が検出された場合は、その文字情報や生体情報に対応するユーザ情報をメモリ１０２から読み出し、ユーザ情報に基づいて利き手を特定することができる。また、表示部１０３に表示される画面上に、ユーザに利き手を選択させる表示を行って、ユーザの選択に従って利き手を特定することもできる。
【００３４】
なお、図２は、本実施例の情報閲覧装置１００の一例であり、その構成は適宜変更することができる。例えば、上記コマンド入力処理部１０８、手書き入力処理部１０９、ＩＤ検出部１１０はハードウェアとして構成してもよいし、ＣＰＵ１０１で動作する制御プログラムとして構成してもよい。
【００３５】
次に、本実施例の情報閲覧装置１００による制御について、図面を参照して具体的に説明する。
【００３６】
図３に示すように、本実施例の情報閲覧装置１００の表示部１０３に表示される画面には、ドキュメントを表示するエリアの周囲に、メモ欄を表示させるための領域（メモ欄引出しエリアと呼ぶ。）が設けられている。なお、本実施例では、メモ欄引出しエリアをドキュメントの周囲に枠状に設けているが、メモ欄引出しエリアの形状は図の構成に限定されず、例えば、矩形状のメモ欄引出しエリアをドキュメントの上下左右などに分離して配置してもよい。
【００３７】
そして、メモ欄を表示させる場合は、図３（ａ）に示すように、一方の手（ここでは左手）の指で、メモ欄引出しエリア（ここでは上側のメモ欄引出しエリア）の所定の位置を起点にしてドキュメントの方向（ここでは下側）にドラッグする。すると、図３（ｂ）に示すように、指が止まった位置にスペースが現れ、メモ欄として使用可能になる。指がタッチパネルに接触した状態（タッチ状態）が維持されていれば、メモ欄は表示されたままとなり、この状態で他方の手（ここでは右手）の指やペンなどで、メモ欄にメモを手書きで入力することが可能になる。
【００３８】
メモ欄にメモを入力した後、図３（ｃ）のように、一方の手（左手）の指をタッチパネルから離す（タッチ状態を解除する）と、ドキュメント上のメモ欄の表示は消える。その際、メモ欄に入力した情報がメモリ１０２に保存される。また、ドラッグの起点となったメモ欄引出しエリアの所定の位置近傍に、メモ欄に入力した情報を表示させるためのマーク（「メモ」と表示されたアイコン）が表示される。
【００３９】
このように、ドキュメントの周囲にメモ欄引き出しエリアを設け、メモ欄引き出しエリアに指などをおいて、その位置を起点にしてドキュメントの方向にドラッグすると、指が止まった位置にメモ欄が表示されてメモを手書きで入力することができ、タッチ状態を解除すると、メモ欄の表示が消えてアイコンが表示され、入力した情報が保存されるため、一連の簡便な操作でメモを取ることができる。
【００４０】
図３は、メモ欄にメモを手書きする場合の例であるが、本実施例の制御方法では、同様の操作で各種機能の設定を行うこともできる。この場合、図４に示すように、ドキュメントを表示するエリアの周囲に、機能操作パネルを表示させるための領域（機能引出しエリアと呼ぶ。）が設けられる。なお、この機能引出しエリアの形状も図の構成に限定されず、例えば、矩形状の機能引出しエリアをドキュメントの上下左右などに分離して配置してもよい。
【００４１】
そして、機能操作パネルを表示させる場合は、図４（ａ）に示すように、一方の手（ここでは左手）の指で、機能引出しエリア（ここでは上側の機能引出しエリア）の所定の位置を起点にしてドキュメントの方向（ここでは下側）にドラッグする。すると、図４（ｂ）に示すように、指が止まった位置に機能操作パネルが現れ、各種機能の設定が可能になる。指がタッチパネルに接触した状態（タッチ状態）が維持されていれば、機能操作パネルは表示されたままとなり、この状態で他方の手（ここでは右手）の指やペンなどで、各種機能（ここではペンの色相、彩度、明度、太さ、濃度など）が設定可能になる。
【００４２】
各種機能を設定した後、図４（ｃ）のように、一方の手（左手）の指をタッチパネルから離す（タッチ状態を解除する）と、ドキュメント上の機能操作パネルの表示は消える。その際、機能操作パネルで設定した情報がメモリ１０２に保存される。また、必要に応じて、ドラッグの起点となった機能引出しエリアの所定の位置近傍に、設定した情報を表示させるためのアイコンが表示される。
【００４３】
このように、ドキュメントの周囲に機能引き出しエリアを設け、機能引き出しエリアに指などをおいて、その位置を起点にしてドキュメントの方向にドラッグすると、指が止まった位置に機能操作パネルが表示されて各種機能を設定することができ、タッチ状態を解除すると、機能操作パネルの表示が消えて、設定した情報が保存されるため、一連の簡便な操作で各種機能を設定することができる。
【００４４】
以上、本実施例の制御方法の基本動作について説明したが、図５及び図６では、画面の表示方向（表示位置）について説明する。なお、以下では、メモ欄を表示する場合を例にして説明するが、機能操作パネルを表示する場合も同様である。
【００４５】
図５は、ドラッグの開始位置に基づいて、メモ欄の表示方向（表示位置）を決定する例を示している。図５（ａ）は、図３と同様に、上側のメモ欄引出しエリアを起点としてドラッグした場合を示しており、この場合は、メモ欄は停止した指の上方向に表示される。なお、図示していないが、下側のメモ欄引出しエリアを起点としてドラッグした場合は、メモ欄は停止した指の下方向に表示される。
【００４６】
図５（ｂ）は、右側のメモ欄引出しエリアを起点としてドラッグした場合を示しており、この場合は、メモ欄は停止した指の右方向に表示される。また、図５（ｃ）は、左側のメモ欄引出しエリアを起点としてドラッグした場合を示しており、この場合は、メモ欄は停止した指の左方向に表示される。
【００４７】
ここで、図５（ｂ）のメモ欄の表示方向は、右利きの人が利き手（右手）でメモ欄に手書きする時に便利であるが、左利きの人が利き手（左手）でメモ欄に手書きする場合には利き手でない方の手（右手）が邪魔になる。また、図５（ｃ）のメモ欄の表示方向は、左利きの人が利き手でメモ欄に手書きする時に便利であるが、右利きの人が利き手（右手）でメモ欄に手書きする場合には利き手でない方の手（左手）が邪魔になる。そこで、メモ欄への記入をしやすくするために、ＩＤ検出部１１０でユーザの利き手を認識してメモ欄の表示方向を決定することもできる。
【００４８】
図６は、ユーザの利き手（ここでは右手）に応じてメモ欄の表示方向を決定する例を示している。図６（ａ）に示すように上側のメモ欄引出しエリアを起点としてドラッグした場合、図６（ｂ）に示すように右側のメモ欄引出しエリアを起点としてドラッグした場合、図６（ｃ）に示すように左側のメモ欄引出しエリアを起点としてドラッグした場合のいずれの場合も、停止した指の右方向にメモ欄を表示すれば、利き手（右手）でメモ欄に手書きする際にドラッグした手（左手）が邪魔にならないようにすることができる。
【００４９】
次に、情報閲覧装置１００の動作について、図７乃至図９のフローチャート図を参照して説明する。図７は、情報閲覧装置１００の全体処理を示し、図８及び図９は、図７のＳ１０８のメモ欄表示処理の詳細を示している。
【００５０】
情報閲覧装置１００のＣＰＵ１０１は、電源ＯＮを検出すると（Ｓ１０１のＹｅｓ）、所定の認証画面を表示部１０３に表示させ、ユーザにユーザＩＤやパスワードなどを入力させる。そして、ＣＰＵ１０１は、入力されたユーザＩＤやパスワードとメモリ１０２に記憶されたユーザ情報とを比較することによって認証を行う（Ｓ１０２）。
【００５１】
次に、ＣＰＵ１０１は、前回開いていたドキュメントのデータがメモリ１０２に記憶されているかを判断し（Ｓ１０３）、前回開いていたドキュメントのデータが記憶されていれば、表示部１０３にそのデータに基づくドキュメントを表示させる（Ｓ１０６）。一方、前回開いていたドキュメントのデータがなければ、ＣＰＵ１０１は、所定のドキュメント選択画面を表示部１０３に表示させて、ユーザにドキュメントを選択させ（Ｓ１０４）、選択されたドキュメントを表示部１０３に表示させる（Ｓ１０５）。
【００５２】
ドキュメントが表示されている状態で、ＣＰＵ１０１は、各種操作を判断する（Ｓ１０７）。メモ欄を表示する操作が行われた場合は、ＣＰＵ１０１（制御プログラム）は、メモ欄表示処理（メモ欄の表示からメモ欄に手書きされた情報の保存までの一連の処理）を実行する（Ｓ１０８）。このメモ欄表示処理については後述する。一方、ドキュメント操作が行われた場合は、ＣＰＵ１０１は、ページめくりや拡大／縮小などの処理を行なう（Ｓ１０９）。また、ファイル操作が行われた場合は、ＣＰＵ１０１は、ドキュメントのデータの保存や、別のドキュメントの選択／表示などの処理を行なう（Ｓ１１０）。
【００５３】
その後、ＣＰＵ１０１は、電源ＯＦＦを検出すると（Ｓ１１１）、所定のシャットダウン処理、例えば、現在、表示されているドキュメントの状態（ページ数、開いている位置、拡大率など）をメモリ１０２に保存する処理を行い（Ｓ１１２）、情報閲覧装置１００の電源をＯＦＦにする（Ｓ１１３）。
【００５４】
次に、メモ欄表示処理について、図８及び図９のフローチャート図を参照して説明する。図８は、ドラッグ開始位置に基づいてメモ欄を表示する場合を示し、図９は、ユーザの利き手に基づいてメモ欄を表示する場合を示している。
【００５５】
ドラッグ開始位置に基づいてメモ欄を表示する場合は、図８に示すように、メモ欄引出しエリアからのドラッグを検出すると（Ｓ２０１のＹｅｓ）、メモ欄引出しエリアのドラッグ開始位置を記憶する（Ｓ２０２）。そして、現在のドラッグ位置（ドラッグの停止位置）を基準にして、ドラッグ開始位置側にメモ欄を表示し（Ｓ２０３）、メモ欄への手書き入力の許可を行う（Ｓ２０４）。
【００５６】
例えば、図５に示すように、上側のメモ欄引出しエリアからドラッグを開始した場合は指が停止した位置の上側に、右側のメモ欄引出しエリアからドラッグを開始した場合は指が停止した位置の右側に、左側のメモ欄引出しエリアからドラッグを開始した場合は指が停止した位置の左側にメモ欄を表示する。また、図示していないが、下側のメモ欄引出しエリアからドラッグを開始した場合は指が停止した位置の下側にメモ欄を表示する。これにより、所望の方向に表示されたメモ欄に対して手書きが可能となる。
【００５７】
メモ欄への手書きを検出したら、手書きされた文字等をメモ欄に表示する（Ｓ２０５）。そして、タッチ状態が維持されているかを判断し（Ｓ２０６）、維持されている間は、メモ欄への手書きの検出／表示を継続する。一方、タッチ状態が解除されたと判断したら、手書き入力処理部１０９が認識した文字の情報をメモリ１０２に保存し、必要に応じて、保存した情報を表示するためのアイコンを表示部１０３に表示させる（Ｓ２０７）。これにより、メモ欄に手書きしたメモを見たい場合は、アイコンをクリックすることでいつでも確認することができる。
【００５８】
一方、ユーザの利き手に基づいてメモ欄を表示する場合は、図９に示すように、メモ欄引出しエリアからのドラッグを検出すると（Ｓ３０１のＹｅｓ）、ＩＤ検出部１１０からユーザＩＤを取得し、メモリ１０２に記憶したユーザ情報を参照して、そのユーザの利き手を認識する（Ｓ３０２）。そして、ユーザの利き手を基準にして、メモ欄への記入に支障が無い側にメモ欄を表示し（Ｓ３０３）、メモ欄への手書き入力の許可を行う（Ｓ３０４）。
【００５９】
例えば、ユーザの利き手が右手の場合は、図６に示すように、上下左右のいずれのメモ欄引出しエリアからドラッグを開始しても、指が停止した位置の右側にメモ欄を表示する。また、図示していないが、ユーザの利き手が左手の場合は、上下左右のいずれのメモ欄引出しエリアからドラッグを開始しても、指が停止した位置の左側にメモ欄を表示する。これにより、所望の方向に表示されたメモ欄に対して手書きが可能となる。
【００６０】
メモ欄への手書きを検出したら、手書きされた文字等をメモ欄に表示する（Ｓ３０５）。そして、タッチ状態が維持されているかを判断し（Ｓ３０６）、維持されている間は、メモ欄への手書きの検出／表示を継続する。一方、タッチ状態が解除されたと判断したら、手書き入力処理部１０９が認識した文字の情報をメモリ１０２に保存し、必要に応じて、保存した情報を表示するためのアイコンを表示部１０３に表示させる（Ｓ３０７）。これにより、メモ欄に手書きしたメモを見たい場合は、アイコンをクリックすることでいつでも確認することができる。
【００６１】
このように、本実施例の情報閲覧装置１００では、ドキュメントの表示領域の周囲に引き出しエリアを設け、引き出しエリアを起点としてドラッグされたら、タッチ状態が継続している間、ドラッグが停止した位置を基準にしてドラッグ開始位置側又は利き手側にメモ欄や機能操作パネルを表示するため、ユーザは簡便にメモ欄にメモを記入したり、機能操作パネルで機能を設定したりすることができる。
【００６２】
また、タッチ状態が解消されたら、メモ欄や機能操作パネルがドキュメント外に待避し、メモ欄に手書きした情報や機能操作パネルで設定した情報がメモリ１０２に保存され、必要に応じて、保存した情報を表示するためのアイコンが表示されるため、手書きしたメモや機能の設定状態をいつでも確認することができる。
【実施例２】
【００６３】
次に、本発明の第２の実施例に係る情報閲覧装置及び制御プログラム並びに制御方法について、図１０乃至図１２を参照して説明する。図１０は、ドキュメントのページめくり動作を示す図であり、図１１及び図１２は、本実施例のメモ欄の表示動作を示す図である。
【００６４】
前記した第１の実施例では、ドキュメントの周囲にメモ欄引き出しエリアや機能引き出しエリアなどの特定エリアを設け、その特定エリアからドラッグが開始された場合に、メモ欄や機能操作パネルを表示する構成としたが、本実施例では、このような特定エリアを設けずに、特定の操作を検出した場合に、メモ欄や機能操作パネルを表示する指示であると判断する。その際、表示部１０３に表示されているドキュメントのページをめくる場合、ドキュメントの左右方向にドラッグする操作を行うため、このドラッグ操作と区別できる操作が行われた場合に、メモ欄や機能操作パネルを表示するように制御する。
【００６５】
以下、図１０乃至図１２を参照して説明する。なお、ここではメモ欄を表示させる場合を例にして説明するが、機能操作パネルを表示させる場合も同様である。
【００６６】
タッチパネルでページめくりが可能な装置では、図１０に示すように、タッチパネルに１本の指をタッチし、指をタッチしたままドキュメントの左右方向にドラッグし、その後、タッチパネルから指を離す、という動作を行うと、ページめくりの指示と判断して、ドキュメントのページをめくる。
【００６７】
これに対して、本実施例では、図１１（ａ）に示すように、ページめくりの方向（ドキュメントの左右方向）とは異なる方向（ドキュメントの上下方向）にドラッグした場合は、ＣＰＵ１０１は、メモ欄を表示する指示であると判断して、メモ欄を表示させる。また、図１１（ｂ）に示すように、ページめくりとは異なる形態（例えば、２本指）でドラッグした場合も、メモ欄を表示する指示であると判断して、メモ欄を表示させる。また、図１１（ｃ）に示すように、指よりも面積が大きい部分（例えば、手全体）をタッチしてドラッグした場合も、メモ欄を表示する指示であると判断して、メモ欄を表示させる。
【００６８】
なお、所定の文字や文章に対してメモ欄を表示させる場合は、アイコンは特定の文字や文章の近傍に表示することができる。例えば、図１２（ａ）に示すように、ドキュメントの所定の文字の周辺にタッチし、ページめくりの方向とは異なる方向にドラッグしてメモ欄を表示させた場合は、タッチ状態を解除したら、上記所定の文字の周辺にアイコンを表示することができる。
【００６９】
このように、画面の周囲に特定エリアを設けなくても、ドキュメントに対する操作と区別できる特定の操作を行うことで、メモ欄や機能操作パネルを表示することができ、第１の実施例と同様の効果を得ることができる。
【００７０】
なお、本発明は上記実施例の記載に限定されるものではなく、本発明の趣旨を逸脱しない限りにおいて、その構成及び制御は適宜変更可能である。
【００７１】
例えば、上記説明では、ドキュメント上にメモ欄や機能操作パネルを表示する場合について説明したが、メモ欄や機能操作パネルはドキュメントと重ならないように表示することもできる。例えば、図１２（ｂ）に示すように、手全体をタッチしてスライドさせた場合、ドキュメントをドラッグ方向にスライドさせ、ドキュメントが表示されなくなった部分をメモ欄として利用することができる。
【００７２】
また、上記実施例では、メモ欄と機能操作パネルを表示する場合について説明したが、入力／操作を行う任意の画面を表示する場合に対して、同様に適用することができる。
【産業上の利用可能性】
【００７３】
本発明は、マルチタッチが可能なタッチパネルを設けた表示部を備える装置、及び当該装置で動作するプログラム、並びに入力／設定操作を制御する方法に利用可能である。
【符号の説明】
【００７４】
１００  情報閲覧装置
１０１  ＣＰＵ
１０２  メモリ
１０３  表示部
１０４  表示コントローラ
１０５  操作部
１０６  通信部
１０７  電池
１０８  コマンド入力処理部
１０９  手書き入力処理部
１１０  ＩＤ検出部
【図１】
0005360140.tif 000002
【図２】
0005360140.tif 000003
【図３】
0005360140.tif 000004
【図４】
0005360140.tif 000005
【図５】
0005360140.tif 000006
【図６】
0005360140.tif 000007
【図７】
0005360140.tif 000008
【図８】
0005360140.tif 000009
【図９】
0005360140.tif 000010
【図１０】
0005360140.tif 000011
【図１１】
0005360140.tif 000012
【図１２】
0005360140.tif 000013